(57)【要約】      （修正有）【課題】原稿圧着板の開閉装置において、原稿圧着板を任意もしくは特定の位置に確実に停止保持し、また厚物原稿を圧着するときも支持脚部の跳ね上がりを防止して安全性の確保を図る。【解決手段】ヒンジ部材４が、原稿圧着板２を第１支持軸５回りに回動可能に支持する支持部材６と、原稿圧着板２に固定されかつ支持部材６に第１支持軸５回りに回動可能に枢支連結され、溝７を有する回転部材８、および支持部材６に第２支持軸９回りに回動可能に枢支連結され、先端部１５が回転部材８の溝７内に摺動自在に挿入された摺動部材１０と、を備える。摺動部材１０の先端部１５と回転部材８の溝７との摺動面間に、原稿圧着板２を任意もしくは特定の角度位置で停止可能にする摩擦ないし係合手段１８を設ける。厚物原稿の圧着には支持部材６に支持脚部１１を設け、装置本体１の上面に設けた保持穴１２に着脱可能とする。【選択図】      図１
2004233531.tif 000002
【特許請求の範囲】
【請求項１】
原稿圧着板を装置本体に対しヒンジ部材を介して開閉回動可能に支持してなる画像読取装置における原稿圧着板の開閉装置において、
前記ヒンジ部材が、原稿圧着板を第１支持軸回りに回動可能に支持する支持部材と、原稿圧着板に固定され、かつ前記支持部材に前記第１支持軸回りに回動可能に枢支連結され、溝を有する回転部材、および前記支持部材に基端部が第２支持軸回りに回動可能に枢支連結され、先端部が前記回転部材の溝内に摺動自在に挿入された摺動部材と、を備えており、
前記摺動部材の先端部と前記回転部材の溝との摺動面間に、原稿圧着板の回動範囲において任意もしくは特定の角度位置で原稿圧着板を停止可能にする摩擦ないし係合手段を設けていることを特徴とする、画像読取装置における原稿圧着板の開閉装置。
【請求項２】
前記摩擦ないし係合手段が、原稿圧着板の回動範囲における任意もしくは特定の角度位置で摩擦力を発生するように構成されている、請求項１記載の画像読取装置における原稿圧着板の開閉装置。
【請求項３】
前記摩擦ないし係合手段が、前記回転部材の溝内の任意もしくは特定の位置に、前記摺動部材の先端部との摩擦を減じるか無くして該先端部が係脱可能に係合する凹部を設けてある、請求項１に記載の画像読取装置における原稿圧着板の開閉装置。
【請求項４】
前記摺動部材が弾性変形可能な樹脂材料からなる、請求項１ないし３のいずれか１項に記載の画像読取装置における原稿圧着板の開閉装置。
【請求項５】
前記摩擦ないし係合手段が、原稿圧着板が閉じる直前から閉じた状態に至って摩擦力ないし係合作用が働かないように構成されている、請求項１ないし４のいずれか１項に記載の画像読取装置における原稿圧着板の開閉装置。
【請求項６】
前記摩擦ないし係合手段が、原稿圧着板が閉じる直前から閉じた状態に至って摩擦力を軽減するように構成されている、請求項１ないし５のいずれか１項に記載の画像読取装置における原稿圧着板の開閉装置。
【請求項７】
前記摩擦ないし係合手段が、原稿圧着板が閉じた状態において摩擦力が発生しないように構成してある、請求項１ないし６のいずれか１項に記載の画像読取装置における原稿圧着板の開閉装置。
【請求項８】
前記装置本体側に保持穴を設けるとともに、前記支持部材に支持脚部を設け、この支持脚部を前記保持穴に抜き差し可能に挿入することにより、前記装置本体上で原稿圧着板を上下動可能に支持してある、請求項１ないし７のいずれか１項に記載の画像読取装置における原稿圧着板の開閉装置。
【請求項９】
前記摺動部材及び／又は回転部材が前記原稿圧着板に着脱可能に取り付けられている、請求項１ないし８のいずれか１項に記載の画像読取装置における原稿圧着板の開閉装置。
【発明の詳細な説明】
【０００１】
【発明の属する技術分野】
本発明は、スキャナーや複写機など画像読取装置における原稿圧着板の開閉装置に関する。
【０００２】
【従来の技術】
この種の原稿圧着板の開閉装置として、例えば、図１４〜１６に示すようなものがある。そこでは、複写機等の装置本体３１に原稿圧着板３２がヒンジ部材３０を介して開閉回動可能に取り付けられており、その原稿圧着板３２を回動範囲にて任意の角度位置に停止させる機構としてバネ３３とカム３４がヒンジ部材３０に組み込まれ、これらバネ３３とカム３４によって原稿圧着板３２の閉じる方向のトルクに反発するトルクを生じさせてそのバランスにて原稿圧着板３２が任意の角度位置に停止保持するようになっている。また、装置本体３１の上面に保持穴３５を設けるとともに、前記カム３４に支持脚部３６を設け、この支持脚部３６を保持穴３５に抜き差し可能に挿入することにより、装置本体３１上で原稿圧着板３２を上下動可能に支持してある。これによって、図１５に示すように、厚手の原稿Ｐを原稿圧着板３２で押圧する場合、その押圧による反力で支持脚部３６が保持穴３５に沿って引き上げられ、これに連動して図１６に示すごとく原稿圧着板３２のせり上りによって原稿圧着板３２の姿勢を水平に保持するようにしている（例えば、特許文献１参照。）。
【０００３】
【特許文献１】
実開昭６３−１１８０３６号公報（第３図、第４図）
【０００４】
【発明が解決しようとする課題】
しかるに、ヒンジ部材３０にバネ３３とカム３４が組み込まれた上記原稿圧着板の開閉装置では、原稿圧着板３２のせり上がり寸法が支持脚部３６の長さ以上になると、図１６に破線Ｆで示すごとく支持脚部３６が装置本体１の保持穴３５から抜け出てしまい、その瞬間にバネ３３の力が一気に解放されて支持脚部３６が跳ね上がる。このとき、跳ね上がった支持脚部３６がオペレータの手などに当たるおそれがあった。
【０００５】
本発明は、上記のような問題を解決するためになされたもので、その目的とするところは、上記のような、原稿圧着板を装置本体に対しヒンジ部材を介して開閉回動可能に支持してなる画像読取装置における原稿圧着板の開閉装置において、前記ヒンジ部材には上記のようなバネを用いなくとも原稿圧着板を任意もしくは特定の位置に確実に停止保持でき、また厚物原稿に対応すべく上記のような支持脚部を備える場合もこの支持脚部の跳ね上がりを防止できて安全性の確保を図れる画像読取装置における原稿圧着板の開閉装置を提供することにある。
【０００６】
【課題を解決するための手段】
本発明は、原稿圧着板を装置本体に対しヒンジ部材を介して開閉回動可能に支持してなる画像読取装置における原稿圧着板の開閉装置において、前記ヒンジ部材が、原稿圧着板を第１支持軸回りに回動可能に支持する支持部材と、原稿圧着板に固定され、かつ前記支持部材に前記第１支持軸回りに回動可能に枢支連結され、溝を有する回転部材、および前記支持部材に基端部が第２支持軸回りに回動可能に枢支連結され、先端部が前記回転部材の溝内に摺動自在に挿入された摺動部材と、を備えており、前記摺動部材の先端部と前記回転部材の溝との摺動面間に、原稿圧着板の回動範囲において任意もしくは特定の角度位置で原稿圧着板を停止可能にする摩擦ないし係合手段を設けていることに特徴を有するものである。
【０００７】
この場合において、前記摩擦ないし係合手段は、原稿圧着板の回動範囲における任意もしくは特定の角度位置で摩擦力を発生するように構成することができる。また、前記摩擦ないし係合手段は、前記回転部材の溝内の任意もしくは特定の位置に、前記摺動部材の先端部との摩擦を減じるか無くして該先端部が係脱可能に係合する凹部を設けて構成することもできる。
【０００８】
また、前記装置本体側に保持穴を設けるとともに、前記支持部材に支持脚部を設け、この支持脚部を前記保持穴に抜き差し可能に挿入することにより、前記装置本体上で原稿圧着板を上下動可能に支持することができる。
【０００９】
【作用】
上記構成の原稿圧着板の開閉装置によれば、摺動部材の先端部と回転部材の溝との摺動面間で生じる摩擦力ないし係合作用により原稿圧着板を任意もしくは特定の角度位置で確実に停止保持できる。
【００１０】
回転部材の溝内の任意位置に、摺動部材の先端部との摩擦を減じるか無くして該先端部が係合する凹部を設けてあると、原稿圧着板の前記任意の角度位置での保持力を増大することができる。
【００１１】
装置本体側に保持穴を設け、この保持穴に支持部材に設けた支持脚部を抜き差し可能に挿入することにより装置本体上で原稿圧着板を上下動可能に支持してあると、厚物原稿の圧着に対応でき、また原稿圧着板を装置本体に対し着脱できる。また、原稿圧着板は上記のように摺動部材の先端部と回転部材の溝との摺動面間で生じる摩擦ないし係合作用により任意もしくは特定の角度位置で停止保持できるようにしてあるので、厚物原稿の圧着に際し支持脚部が保持穴から抜き出されても、支持脚部は保持穴から抜き出されたままの角度を維持することができ、前述した図１６に破線Ｆで示す如き支持脚部の跳ね上がり問題は回避できる。
【００１２】
【発明の実施の形態】
以下、本発明の好適な実施形態を図面に基づき説明する。図１は本発明の一実施例である原稿圧着板の開閉装置を閉じ状態で示す一部破断状態の側面図、図２は図１の原稿圧着板の開閉装置を厚物原稿圧着途上の状態で示す一部破断状態の側面図、図３は図１の原稿圧着板の開閉装置を厚物原稿圧着状態で示す一部破断状態の側面図、図４は図１の原稿圧着板の開閉装置の要部を閉じ状態で示す縦断側面図、図５は図１の原稿圧着板の開閉装置の要部を４０°開き状態で示す縦断側面図、図６は図１の原稿圧着板の開閉装置の要部を９０°開き状態で示す縦断側面図、図７は図５におけるＡ―Ａ線拡大断面図である。
【００１３】
図１において、１はスキャナー、複写機など画像読取装置の装置本体、２は原稿圧着板、３は原稿圧着板２を装置本体１に対しヒンジ部材４を介して上下方向に開閉回動自在に支持した、本発明に係る原稿圧着板の開閉装置である。
【００１４】
原稿圧着板の開閉装置３において、ヒンジ部材４は、原稿圧着板２を第１支持軸５回りに回動可能に支持する支持部材６と、原稿圧着板２の後端側に固定され、かつ支持部材６に第１支持軸５回りに回動可能に枢支連結されて溝７を有する回転部材８、および支持部材６に基端部１４が第１支持軸５より上方位置にある第２支持軸９回りに回動可能に枢支連結され、先端部１５が回転部材８の溝７内に摺動自在に挿入された摺動部材１０と、を備えている。
【００１５】
厚物原稿の圧着にも対応すべく支持部材６はこれの下端に支持脚部１１を設けるとともに、装置本体１の上面側に保持穴１２を垂直に設け、この保持穴１２に支持脚部１２を抜き差し可能に挿入することにより、原稿圧着板２を装置本体１上に上下動可能に支持してある。
【００１６】
摺動部材１０は、耐摩耗性に優れるポリアセタール系やポリアミド系等の樹脂成形品であって、図４に示すように、角形断面の平板形状に形成された摺動部材本体１３と、この本体１３の長手方向後端に形成された円形断面の基端部１４、およびこの本体１３の長手方向の先端部１５に形成された部分円弧形状断面の膨大部１６と、を有する形に成形されている。図７に示すように、膨大部１６は摺動部材本体１３の幅方向に所定間隔置きに複数個列設され、隣り合う膨大部１６，１６間には縮小部１７を設けている。
【００１７】
一方、回転部材８は、同じく耐摩耗性に優れるポリアセタール系やポリアミド系等の樹脂成形品、または金属成形品であって、この回転部材８には、図４に示すように、摺動部材１０の先端部１５が挿入されて原稿圧着板２の回動に伴い摺動自在な溝７がこの内部の上下壁７ａ，７ｂを平行にし、かつ後方を開放するように形成されている。溝７の断面形状は、図７に示すように、摺動部材１０の膨大部１６と縮小部１７にそれぞれ対応する深溝部７１と浅溝部７２とを回転部材８の幅方向に交互に列設する形に形成されている。
【００１８】
摺動部材１０の膨大部１６と回転部材８の深溝部７１との摺動面間に、原稿圧着板２の回動範囲において任意もしくは特定の角度位置で原稿圧着板２を停止可能にする摩擦ないし係合手段１８を設けている。
【００１９】
摩擦ないし係合手段１８の二つの具体例を挙げる。その一つは、図４〜７に示すように、摺動部材１０の膨大部１６の最大径（厚み）部ａは回転部材８の深溝部７１の深さｂよりも少し大きい寸法、例えばａ＝６．４ｍｍ、ｂ＝６．０ｍｍに設定し、これにより原稿圧着板２の任意もしくは特定の角度位置、例えば、原稿圧着板２の４０°開き角度位置（図５参照）、および９０°開き位置（図６参照）のそれぞれにおいて膨大部１６の外周上の２点Ｓ１，Ｓ２と深溝部７１内の上下壁７ａ，７ｂとの摺動面間で膨大部１６の２点Ｓ１，Ｓ２における弾性圧縮変形により摩擦が発生し、この摩擦で原稿圧着板２が停止保持するように設定する。
【００２０】
この場合、原稿圧着板２の前記任意もしくは特定の角度位置において、原稿圧着板２の重量に応じて摩擦力をさらに増大する必要があるときは、図７に示すごとく摺動部材１０の縮小部１７と回転部材８の浅溝部７２との間に隙間を形成することなく、それら摺動部材１０の縮小部１７の外周上の２点Ｓ３，Ｓ４と回転部材８の浅溝部７２内の上下壁７ａ，７ｂとの摺動面間でも縮小部１７の２点Ｓ３，Ｓ４における弾性圧縮変形による摩擦が発生するようにする。
【００２１】
他のもう一つの具体例は、図８〜１０に示すように、回転部材８の深溝部７１内の上下壁７ａ，７ｂの任意もしくは特定の位置、例えば原稿圧着板の４０°開き角度位置（図９参照）、および９０°開き位置（図１０参照）にそれぞれ、摺動部材１０の膨大部１６の外周上の２点Ｓ１，Ｓ２との摩擦を減じるか無くして該２点Ｓ１，Ｓ２が係脱可能に係合する凹部１９，２０を設ける。かくして、原稿圧着板が４０°（図９参照）または９０°（図１０参照）の開き位置でそれぞれ摺動部材１０の膨大部１６が凹部１９，２０に係合することにより停止保持できる。これによれば原稿圧着板２の任意もしくは特定の角度位置での保持力を増大できる。
【００２２】
この具体例の場合においても、原稿圧着板２の前記任意もしくは特定の角度位置において、原稿圧着板２の重量に応じて摩擦力をさらに増大する必要がある場合は、前記任意もしくは特定の位置に対応する回転部材８の浅溝部７２内にも摺動部材１０の縮小部１７との摩擦を減じるか無くして該縮小部１７が係脱可能に係合する凹部１９，２０を設けることができる。
【００２３】
上記摩擦ないし係合手段１８において、原稿圧着板２が閉じる直前から図１及び図４に示すごとく閉じた状態に至って摺動部材１０の先端部１５の前記弾性圧縮変形が無くて摩擦力が発生しないように構成することにより、原稿圧着板２それ自体の重量が原稿に押圧力としてかかって原稿を装置本体１の上面に密着できる。または、原稿圧着板２が閉じる直前から図１及び図４に示すごとく閉じた状態に至って摺動部材１０の先端部１５の前記弾性圧縮変形による摩擦力を軽減するように構成することにより、原稿圧着板２を閉じる直前に手を原稿圧着板２と装置本体１との間ではさむのを防止できる。
【００２４】
また、摩擦ないし係合手段１８は、原稿圧着板２が閉じた状態（図１及び図４参照）のままで長期間放置された場合も原稿圧着板２が閉じた状態において摺動部材１０の先端部１５の前記弾性圧縮変形が無くて摩擦力が発生しないように構成することにより、摺動部材１０と回転部材８の摺動面間における塑性変形やクリープ変形を防止でき、耐久性を向上できる。
【００２５】
重量、重心の異なる各種の原稿圧着板２に応じてその摺動部材１０又は回転部材８を取り替えられるように、摺動部材１０及び／又は回転部材８を原稿圧着板２に着脱可能に取り付けることができる。
【００２６】
上記のように、原稿圧着板２は回動範囲の任意もしくは特定の角度位置において摺動部材１０の先端部１５と回転部材８の溝７との摺動面間で摩擦力ないし係合作用を働かせることによって前記角度位置に確実に停止保持できる。
また、原稿圧着板２は、支持部材６に設けた支持脚部１１を装置本体１の保持穴１２に抜き差し可能に挿入することにより、装置本体１上で上下動可能に支持してあって、厚物原稿２の圧着等に際し支持脚部１１が保持穴１２から抜き出される場合も、支持脚部１１は保持穴１２から抜き出されたままの角度を維持することができる。したがって、図１６に示すごとくヒンジ部材３０にバネ３３とカム３４を組み込んだ従来の原稿圧着板の開閉装置における支持脚部３６のような跳ね上がり（同図の破線Ｆ）はなくてオペレータの安全性を損なうようなことがない。
【００２７】
上記実施例では回転部材８の溝７の上下壁７ａ，７ｂを平行に形成するが、これに代えて、図１１〜１３に示すように、回転部材８の溝７の上下壁７ａ，７ｂを先方拡がり状のテーパに形成することもできる。図１１の状態は原稿圧着板２が閉じた状態を、図１２は原稿圧着板２の４０°開き角度位置での摩擦ないし係合による停止保持状態を、図１３は原稿圧着板２の９０°開き角度位置での摩擦ないし係合による停止保持状態をそれぞれ示している。なお、摺動部材１０の膨出部１６は楕円形断面又は円形断面に形成することもできる。
【００２８】
また、上記実施例では厚物原稿に対応すべく、装置本体１側に保持穴１２を設け、この保持穴１２に支持部材６に設けた支持脚部１１を抜き差し可能に挿入する支持形態を採用してあるが、本発明は、かかる支持形態の装置を対象とするものに限られず、支持部材６を装置本体１側に固定する支持形態の装置にも適用できる。
【００２９】
【発明の効果】
本発明によれば、原稿圧着板と装置本体間に設けるヒンジ部材を支持部材、回転部材、および摺動部材により構成し、摺動部材の先端部と回転部材の溝との摺動面間に、原稿圧着板を任意もしくは特定の角度位置で停止可能にする摩擦ないし係合手段を設けるものとした。したがって、従来のようにヒンジ部材にバネを用いなくとも原稿圧着板を任意もしくは特定の位置に確実に停止保持できる。また、厚物原稿に対応すべく支持部材に支持脚部を設け、この支持脚部を装置本体側の保持穴に挿入する支持形態を採る場合もこの支持脚部の跳ね上がりを防止できて安全性の確保を図ることができる。
【図面の簡単な説明】
【図１】本発明の一実施例である原稿圧着板の開閉装置を閉じ状態で示す一部破断状態の側面図である。
【図２】図１の原稿圧着板の開閉装置を厚物原稿圧着途上の状態で示す一部破断状態の側面図である。
【図３】図１の原稿圧着板の開閉装置を厚物原稿圧着状態で示す一部破断状態の側面図である。
【図４】図１の原稿圧着板の開閉装置の要部を閉じ状態で示す縦断側面図である。
【図５】図１の原稿圧着板の開閉装置の要部を４０°開き状態で示す縦断側面図である。
【図６】図１の原稿圧着板の開閉装置の要部を９０°開き状態で示す縦断側面図である。
【図７】図５におけるＡ―Ａ線拡大断面図である。
【図８】他の実施例を図４に相応して示す縦断側面図である。
【図９】他の実施例を図５に相応して示す縦断側面図である。
【図１０】他の実施例を図６に相応して示す縦断側面図である。
【図１１】更に他の実施例を図４に相応して示す縦断側面図である。
【図１２】更に他の実施例を図５に相応して示す縦断側面図である。
【図１３】更に他の実施例を図６に相応して示す縦断側面図である。
【図１４】従来例の原稿圧着板の開閉装置を閉じ状態で示す一部破断状態の側面図である。
【図１５】図１４の原稿圧着板の開閉装置を厚物原稿圧着途上の状態で示す一部破断状態の側面図である。
【図１６】図１４の原稿圧着板の開閉装置を厚物原稿圧着状態で示す一部破断状態の側面図である。
【符号の説明】
１  装置本体
２  原稿圧着板
３  原稿圧着板の開閉装置
４  ヒンジ部材
５  第１支持軸
６  支持部材
７  溝
８  回転部材
９  第２支持軸
１０  摺動部材
１１  支持脚部
１２  保持穴
１５  摺動部材の先端部
１８  摩擦ないし係合手段
１９，２０  凹部
【図１】
2004233531.tif 000003
【図２】
2004233531.tif 000004
【図３】
2004233531.tif 000005
【図４】
2004233531.tif 000006
【図５】
2004233531.tif 000007
【図６】
2004233531.tif 000008
【図７】
2004233531.tif 000009
【図８】
2004233531.tif 000010
【図９】
2004233531.tif 000011
【図１０】
2004233531.tif 000012
【図１１】
2004233531.tif 000013
【図１２】
2004233531.tif 000014
【図１３】
2004233531.tif 000015
【図１４】
2004233531.tif 000016
【図１５】
2004233531.tif 000017
【図１６】
2004233531.tif 000018